(57)【特許請求の範囲】
【請求項１】
粉粒体を内容物とする陽圧缶詰用の缶容器であって、缶胴の一端側にフルオープンタイプの開口容易缶蓋が一体的に巻締め固着されている簡易開口式の缶容器において、缶内圧により粉粒体を噴出させずにガスのみを噴出させるような細孔が、一個又は略同じ直径で複数個、非通気性の材質からなる薄板材に穿設されており、缶蓋のパネル部の適所に、該薄板材の細孔の領域よりも大きな面積で小孔が開口されていて、該小孔の範囲内に薄板材の細孔が配置されるように、缶蓋のパネル部に薄板材が一体的に固着されていると共に、該細孔を缶蓋の外面側から覆って密封するように、把手となる部分を備えたフィルム製蓋が、缶蓋のパネル部に対して引き剥がし可能に貼着されていることを特徴とするフルオープン簡易開口式缶容器。
【請求項２】
薄板材に穿設された細孔の直径が約１．３５ｍｍ以下であり、細孔の開口平面の総面積が約１．４３ｍｍ２以下であることを特徴とする請求項１に記載のフルオープン簡易開口式缶容器。
【発明の詳細な説明】
【技術分野】
【０００１】
本発明は、フルオープンタイプの開口容易缶蓋（イージーオープンエンド）を備えた簡易開口式の缶容器に関し、特に、コーヒー豆を焙煎して粉砕したレギュラーコーヒーのような粉粒体を内容物とする陽圧缶詰において、開缶時に缶内のガスと共に内容物の粉粒体が噴出して飛散しないようにした、フルオープン簡易開口式缶容器に関する。
【背景技術】
【０００２】
コーヒー豆を焙煎して粉砕した粉粒状のレギュラーコーヒーについては、時間が経つに連れて炭酸ガスを発生させることから、これを缶詰にする場合、従来一般的には、缶胴に補強用のビードが形成された３ピース缶を使用して、缶内の空気を吸引して充分にガス抜き（エージング）した状態で内容物を缶内に充填・密封しているが、そのようなバキューム缶詰では、コーヒーの香りや風味が炭酸ガスと共に蒸散して失われることで劣化し易いものとなってしまう。そこで、レギュラーコーヒーの缶詰において、上記のようなコーヒーの香りや風味の劣化を防ぐために、缶内の気体を炭酸ガスに置換して缶内を炭酸ガスで陽圧化するということが提案されている。
【０００３】
しかしながら、そのようなレギュラーコーヒーの陽圧缶詰では、缶の一端側を全面的に開口するフルオープンタイプの簡易開口式缶容器、即ち、破断可能な環状のスコア（刻線）を有するフルオープンタイプの開口容易缶蓋が缶胴の一端側に巻締め固着されている缶容器を使用した場合に、開缶時に、開口操作用のタブを持ち上げることで、先ずタブを固定するリベット部の周りに形成されたベントスコア（通気用の刻線）が破断された途端に、そこから缶内の炭酸ガスと共に粉粒状のレギュラーコーヒーが噴出して飛散してしまう虞がある。
【０００４】
これに対して、レギュラーコーヒー等の粉粒体を内容物とする陽圧缶詰用の缶容器で、フルオープンタイプの開口容易缶蓋を備えた簡易開口式缶容器として、「パネル部の外縁に沿って環状スコアが形成され、環状スコアで囲まれた領域内に、開口操作用のタブがリベット部により固着され、且つ、リベット部の近傍にベントスコアが形成されているフルオープンタイプの開口容易缶蓋に対して、缶蓋の内面側で、多数の通気孔を有して伸展性のあるフィルムが、ベントスコアの付近を覆うように、環状スコアで囲まれた領域内に部分的に貼着されている」というものが本願出願人の先の出願に係る下記の特許文献１により従来公知となっている。
【０００５】
すなわち、下記の特許文献１に記載されたフルオープン簡易開口式缶容器によれば、多数の通気孔を有して伸展性のあるフィルムにより、ベントスコアが缶蓋の内面側から覆われていることで、陽圧缶詰の開缶時に、ベントスコアから缶内のガスと共に内容物の粉粒体が噴出して飛散するのを防止することができる。
【０００６】
しかも、缶蓋の内面側に貼着するフィルムを、環状スコアに囲まれた領域内にだけ部分的に貼着していることから、貼着するフィルム自体を小さくすることができて、材料コストの節約を図ることができると共に、巻締め前の缶蓋に対するフィルムの貼着作業を容易にすることができて、生産効率の向上を図ることができる。さらに、開缶時には、開口片（缶蓋の除去部）と共にフィルムを缶口から確実に除去することができて、剥がれたフィルムが缶口に残るというようなことを確実に回避することができる。
【特許文献１】特開２００６−２３２２８８号公報
【発明の開示】
【発明が解決しようとする課題】
【０００７】
ところで、上記のような従来公知のフルオープン簡易開口式缶容器では、缶詰の開缶時にベントスコアからガスと共に粉粒体が噴出するのを防止するために、通気孔を有して伸展性のあるフィルムを、缶蓋の内面側に貼着していることから、フィルムの貼着が確実に行なわれている限り全く問題はないのであるが、万が一、フィルムの貼着に不備があって、フィルムが剥がれて缶内に落下したような場合には、缶を開けるまでは外から見ても判らないことから、消費者が缶を開けたときに異物が混入していたとして問題になるような虞がある。
【０００８】
本発明は、上記のような問題の解消を課題とするものであり、具体的には、粉粒体を内容物とする陽圧缶詰用のフルオープン簡易開口式缶容器について、開缶時に内容物の粉粒体が噴出して飛散するのを防止するための手段として、缶蓋の内面側にフィルムを剥離可能に貼着するようなことなく、フィルムの剥離による異物混入の問題が起きないようにすることを課題とするものである。
【課題を解決するための手段】
【０００９】
本発明は、上記のような課題を解決するために、粉粒体を内容物とする陽圧缶詰用の缶容器であって、缶胴の一端側にフルオープンタイプの開口容易缶蓋が一体的に巻締め固着されている簡易開口式の缶容器において、缶内圧により粉粒体を噴出させずにガスのみを噴出させるような細孔が、一個又は略同じ直径で複数個、非通気性の材質からなる薄板材に穿設されており、缶蓋のパネル部の適所に、該薄板材の細孔の領域よりも大きな面積で小孔が開口されていて、該小孔の範囲内に薄板材の細孔が配置されるように、缶蓋のパネル部に薄板材が一体的に固着されていると共に、該細孔を缶蓋の外面側から覆って密封するように、把手となる部分を備えたフィルム製蓋が、缶蓋のパネル部に対して引き剥がし可能に貼着されていることを特徴とするものである。
【発明の効果】
【００１０】
上記のような本発明のフルオープン簡易開口式缶容器によれば、缶蓋の外面側から細孔を覆って密封する把手付きフィルム状の蓋板を、缶蓋のパネル部に対して引き剥がし可能に貼着していることから、缶詰を開缶する前に、先ず、把手を摘んでフィルム製蓋を缶蓋から引き剥がすことで細孔を開封することにより、この細孔を通して、缶内の粉粒体を噴出させずにガスのみを噴出させて大気中に散逸させることで、予めガス抜きしておくことができるため、缶詰の開缶時には、缶内のガスと共に内容物の粉粒体が噴出して飛散するようなことはない。
【００１１】
また、ガスと共に内容物の粉粒体が噴出するのを防止するためのガス抜き手段が、缶蓋のパネル部に開口された小孔と、缶蓋のパネル部に一体的に固着（容易に剥離しないように固着）された薄板材に穿設された細孔と、該細孔を缶蓋の外面側から覆う剥離可能なフィルム製蓋とからなることにより、万が一、フィルム製蓋が剥がれたとしても、それが外から見て直ぐに判ることから、フィルム製蓋の剥がれた缶詰を不良品として事前に確実に排除することができて、剥がれたフィルム製蓋が缶内に落下して異物混入の問題を起こすような虞は全くない。
【００１２】
しかも、ガス抜きのための細孔を、缶蓋のパネル部に直接設けるのではなく、別体の薄板材に設けて、これを缶蓋のパネル部に一体的に固着していることから、ガス抜きのための細孔を備えた缶蓋の製造を容易に行なうことができる。すなわち、金属製の缶蓋にガス抜きのための細孔を直接に設ける場合には、レーザー光により細孔を穿設するために、缶蓋のプレス成形機にレーザー照射装置を組み込むことで、装置が大掛りなものとなり、且つ、精密な位置合わせが必要となるのに対して、缶蓋に小孔を設け、薄板材に細孔を設けて、薄板材を缶蓋に固着する場合には、缶蓋の成形時にプレス成形機で小孔を容易に設けることができ、また、別体の薄板材に対して適宜の手段により容易に細孔を設けることができるため、効率良く製造することができる。
【発明を実施するための最良の形態】
【００１３】
粉粒体を内容物とする陽圧缶詰用のフルオープン簡易開口式缶容器について、開缶時に内容物の粉粒体が噴出して飛散するのを防止するための手段として、缶蓋の内面側にフィルムを剥離可能に貼着するようなことなく、フィルムの剥離による異物混入の問題が起きないようにするという目的を、最良の形態として以下の実施例に具体的に示すように、缶内圧により粉粒体を噴出させずにガスのみを噴出させるような細孔を、一個又は略同じ直径で複数個、非通気性の材質からなる薄板材に穿設し、缶蓋のパネル部の適所に、該薄板材の細孔の領域よりも大きな面積で小孔を開口させて、該小孔の範囲内に薄板材の細孔が配置されるように、缶蓋のパネル部に薄板材を一体的に固着すると共に、該細孔を缶蓋の外面側から覆って密封するように、把手となる部分を備えたフィルム製蓋を、缶蓋のパネル部に対して引き剥がし可能に貼着する、ということで実現した。
【００１４】
以下に説明するような本発明のフルオープン簡易開口式缶容器の実施例については、何れも、コーヒー豆を焙煎して粉砕した粉粒状のレギュラーコーヒーを内容物とする缶容器に関するものあって、図１に示すように、缶容器１は、板厚が０．３ｍｍ程度のアルミニウム合金板から絞りしごき加工により胴部３ａと底部３ｂが一体成形されて胴部３ａの直径が約７４ｍｍの有底円筒状に形成されたシームレス缶体３に対して、その胴部３ａの上端開口端側に、タブ２０の操作により開口可能なフルオープンタイプの開口容易缶蓋２を、二重巻締めにより一体的に巻締め固着したものである。
【００１５】
缶体３の胴部３ａの上端に巻締め固着される開口容易缶蓋２は、円板状に打ち抜かれた板厚が約０．２ｍｍの錫メッキ鋼板からプレス成形されるものであり、図２および図３に示すように、巻締め固着される前の状態で、パネル部２１と環状縁部２２とカウンターシンク部２３とフランジ部２４とが一体成形された本体部分に対して、それとは別体に形成された開口操作用のタブ２０が、略円板状のパネル部２１の周辺付近に形成されたリベット部２５によって固着されており、また、缶蓋２のパネル部２１には、その外縁に沿って破断可能な環状スコア２６が形成されている
【００１６】
なお、缶蓋２のパネル部２１の外縁には、金属板を多重（断面Ｓ字状の三重）に折り畳んだ重層部２９が形成されており、この重層部２９の外側でパネル部２１と環状縁部２２との境界部分に環状スコア２６が形成されていて、この環状スコア２６で囲まれた領域（パネル部２１）が、開缶時に除去される開口片（缶蓋の除去部）となり、開缶後には開口部として開放されることとなる。
【００１７】
缶蓋２の環状スコア２６で囲まれた領域（開口片となる缶蓋の除去部）に対して、その外縁に重層部２９を形成しておくことで、開缶後に缶容器から除去した開口片の端縁の鋭利な切断端により手指などを傷付けるのが防止できる。なお、環状スコア２６よりも外側の環状縁部２２に対しても、同様に金属板を折り畳んだ重層部を形成しておけば、開缶後に内容物を取り出す際に、缶口の端縁の鋭利な切断端により手指などを傷付けるのが防止できる。
【００１８】
開口操作用のタブ２０は、環状スコア２６の内側（開口片の外周部分）で上方に突出するリベット部２５によって位置決めされ、このリベット部２５の頭を押し潰すことでパネル部２１に固着されていて、タブ２０の固着部（リベット部２５）よりも缶蓋半径方向外側の部分は、開缶する際に押し下げ部分となる先端部２０ａとして形成され、タブ２０の固着部（リベット部２５）よりも缶蓋半径方向内側の部分は、指を掛けるためのリング部２０ｂとして形成されている。
【００１９】
なお、タブ２０では、先端部２０ａからリベット部２５までの長さを、リング部２０ｂの後端からリベット部２５までの長さよりも大幅に短くしており、そうすることで、タブ２０のリング部２０ｂの後端を指で持ち上げたときに、リベット部２５を支点としたテコの作用で、タブ２０の先端部２０ａが大きな力で押し下げられることとなる。
【００２０】
缶蓋２のパネル部２１のリベット部２５の近傍には、図２に示すように、リベット部２５を挟んでタブ２０の先端部２０ａとは反対側に、破断可能なベントスコア２７と破断しない補助スコア２８とがそれぞれ形成されている。ベントスコア２７に近接して平行に設けられる補助スコア２８は、ベントスコア２７の近傍を硬化させてベントスコア２７を破断し易くするためのものであって、それ自体は破断されないものである。
【００２１】
破断可能なベントスコア２７は、タブ２０を起こすときにパネル部２１の一部分を折り曲げ易くするためのものでもあって、開口操作を開始してタブ２０のリング部２０ｂを少し持ち上げると、先ずベントスコア２７が破断される。それにより、パネル部２１の一部分（リベット部２５の付近から缶蓋半径方向外側のタブ２０の先端部２０ａの下方に位置する部分）が折り曲げ易い状態となり、この状態からタブ２０を更に引き起こすことで、タブ２０の先端部２０ａを環状スコア２６に容易に深く食い込ませることができる。
【００２２】
ところで、本発明のフルオープン簡易開口式缶容器では、上記のような構造を備えた缶蓋２に対して、図２に示すように、缶蓋２のパネル部２１の適所（図示したものでは、タブ２０のリング部２０ｂを摘み易くするためにパネル部２１に形成された平面形状が略Ｄ字形の凹部の底面の部分）に、適当な大きさ（例えば、直径約３ｍｍ程度）の小孔３０が開口されている。
【００２３】
また、この缶蓋２の小孔３０に対して、図４に示すように、缶内圧により粉粒体を噴出させずにガスのみを噴出させるような大きさ（例えば、直径が約１．３５ｍｍ以下）の細孔４０を設けた薄板材４が、小孔３０を覆うようにパネル部２１の上面（又は下面）に一体的に固着されており、パネル部２１の小孔３０の領域内に薄板材４の細孔４０が配置されている。そして、この細孔４０を缶蓋２の外面側から覆って密封するように、把手５ａとなる部分を備えたフィルム製蓋５が、缶蓋２のパネル部２１に対して引き剥がし可能に貼着されている。
【００２４】
缶内圧により粉粒体を噴出させずにガスのみを噴出させるような細孔４０を設けた薄板材４は、非通気性の材質からなるもので、例えば、金属製の薄板や、柔軟性が乏しい合成紙や、合成樹脂製の薄板などが使用されており、その中央部に、レーザー光のような適宜な穿孔手段によって、細孔４０が穿設されている。
【００２５】
この細孔４０は、フィルム製蓋５を引き剥がして開封した際に、缶内圧により粉粒体を噴出させずにガスのみを噴出させるものであって、図示したものでは一つであるが、略同じ直径のものを複数設けるようにしても良いものであり、また、細孔４０の具体的な直径や開口平面の総面積については、粉粒体の大きさや缶内圧の大きさによって変わってくるものである。
【００２６】
細孔４０を覆うように缶蓋２のパネル部２１に貼着されるフィルム製蓋５は、内面側にカルボキシル化されたポリプロピレンが塗布されたアルミニウム箔のような金属箔や、合成紙や、樹脂シート等のような適宜のフィルムからなり、ヒートシール法等の適宜の方法によってパネル部２１の外面側に引き剥がし可能に接着されるものであって、その把手５ａとなる部分については、ホットスタンプ面を円形にしてヒートシールしたり、感圧接着剤を使用した場合には、スタンプ具の押圧面を円形にすることにより、パネル部２１とは接着されないようになっていて、パネル部２１からフィルム製蓋５を引き剥がす際に手で摘むことができるようになっている。
【００２７】
以下に示すような本実施例の場合には、コーヒー豆を焙煎して中細挽きの状態に粉砕した粉粒状のレギュラーコーヒーを内容物として、缶内が１５０ｋＰａ前後となるような陽圧缶詰を製造するための缶容器としているが、そのような場合には、細孔４０の直径を約１．３５ｍｍ以下（好ましくは０．６０〜１．３５ｍｍの範囲内）とし、且つ、細孔４０の開口平面の総面積を約１．４３ｍｍ２以下（好ましくは１．３０〜１．４３ｍｍ２の範囲内）とするのが適当である。また、缶蓋２のパネル部２１の小孔３０については、直径約３ｍｍ程度とするのが適当である。
【００２８】
なお、粉粒状のレギュラーコーヒーを内容物として陽圧缶詰を製造する方法については、例えば、焙煎して粉砕した直後のレギュラーコーヒーを直ちに缶内へ充填すると共に、液体窒素を充填することで（コーヒーと液体窒素を同時に充填しても良いし、コーヒーを充填してから液体窒素を充填しても良いし、予め液体窒素を充填してからコーヒーを充填しても良い）、缶内の気体を窒素ガスに置換してから、フルオープンタイプの開口容易缶蓋を巻締め固着して缶を密封することにより、缶内が１５０ｋＰａ前後となるような陽圧缶詰とすることができる。
【００２９】
内容物がコーヒー豆を焙煎して中細挽きの状態に粉砕した粉粒状のレギュラーコーヒーで、缶内圧が１５０ｋＰａ前後である陽圧缶詰に使用される本実施例のフルオープン簡易開口式缶容器で、細孔の具体的な構造が異なる各実施例について、細孔の個数や直径や総面積と、フィルムを引き剥がして細孔を開封した際の状態とを以下に説明する。なお、細孔の具体的な構造を除く缶容器の他の構造については、既に説明したようなものであって、何れの実施例でも同じであるために、それらの構造についての説明は省略する。
【実施例１】
【００３０】
実施例１のフルオープン簡易開口式缶容器では、図２に示すように、缶蓋２のパネル部２１のほぼ中央部（平面形状が略Ｄ字形の凹部の底面）に、直径が約３．００ｍｍの小孔３０が開口されているのに対して、この小孔３０を覆うように、図４に示すように、パネル部２１の上面（下面でも良い）に、非通気性の材質からなる薄板材４が一体的に固着（殆ど剥離不能に貼着）されており、この薄板材４に、直径が約１．３０ｍｍで、開口平面の面積が約１．３２７ｍｍ２である一つの細孔４０が穿設されていて、この細孔４０を缶蓋の外面側から覆って密封するように、把手５ａとなる部分を備えたフィルム製蓋５が、パネル部２１の外面側に引き剥がし可能に貼着されている。
【００３１】
そのように細孔４０とフィルム製蓋５とが設けられた実施例１のフルオープン簡易開口式缶容器では、タブによる開口操作の前（缶詰を開缶する前）に、先ず、図４に示すような状態から、把手５ａを摘んでフィルム製蓋５を缶蓋のパネル部２１から引き剥がして、図５に示すように、細孔４０を開封して缶内と外気を連通させると、缶内のガス成分だけが細孔４０を通って大気中に噴出し、一方、缶内の粉粒体は、噴出するガス成分の流れに巻き込まれることなく、細孔４０から缶外に噴出することはなかった。
【実施例２】
【００３２】
実施例２のフルオープン簡易開口式缶容器では、缶蓋に対して、図示していないが、パネル部のほぼ中央部（平面形状が略Ｄ字形の凹部の底面）に開口された直径が約３．００ｍｍの小孔に対して、この小孔を覆うようにパネル部に一体的に固着されてた薄板材には、それぞれの直径が約０．７５ｍｍで、開口平面の総面積が約１．３２５ｍｍ２となるように、３個の細孔が、等間隔で正三角形を画くように穿設されていて、この細孔を缶蓋の外面側から覆って密封するように、把手となる部分を備えたフィルム製蓋が、パネル部の外面側に引き剥がし可能に貼着されている。
【００３３】
そのように３個の細孔とフィルム製蓋とが設けられた実施例２のフルオープン簡易開口式缶容器では、タブによる開口操作の前（缶詰を開缶する前）に、先ず、把手を摘んでフィルム製蓋を缶蓋から引き剥がして、細孔を開封して缶内と外気を連通させると、ガス成分は、缶内で乱流を起こして粉粒体を巻き込むようなことなく、ガス成分だけが細孔を通って大気中に噴出し、缶内の粉粒体が細孔から噴出することはなかった。
【実施例３】
【００３４】
実施例３のフルオープン簡易開口式缶容器では、缶蓋に対して、図示していないが、パネル部のほぼ中央部（平面形状が略Ｄ字形の凹部の底面）に開口された直径が約３．００ｍｍの小孔に対して、この小孔を覆うようにパネル部に一体的に固着されてた薄板材にはそれぞれの直径が約０．６０ｍｍで、開口平面の総面積が約１．４１３ｍｍ２となるように、５個の細孔が、等間隔で円を画くように穿設されていて、この細孔を缶蓋の外面側から覆って密封するように、把手となる部分を備えたフィルム製蓋が、パネル部の外面側に引き剥がし可能に貼着されている。
【００３５】
そのように５個の細孔とフィルム製蓋とが設けられた実施例３のフルオープン簡易開口式缶容器では、タブによる開口操作の前（缶詰を開缶する前）に、先ず、把手を摘んでフィルム製蓋を缶蓋から引き剥がして、細孔を開封して缶内と外気を連通させると、缶内のガス成分だけが細孔を通って大気中に噴出し、缶内の粉粒体が細孔から噴出することはなかった。
【００３６】
上記のような細孔の構造（個数と直径と総面積）が異なる本発明のフルオープン簡易開口式缶容器の各実施例（実施例１〜３）では、その何れにおいても、内容物の粉粒体を噴出させるような急激な排気を発生させず、缶詰内のガス成分だけを細孔から噴出させることができて、それにより、大きさにバラツキのある粉粒体のうちで細孔を通過し得る程度の微細な粉粒体が存在しても、それも含めて粉粒体を細孔から噴出させないようにすることができた。
【００３７】
なお、上記のようにフィルム製蓋を引き剥がして細孔を開封することで缶内のガス抜きを行なってからは、何れの実施例においても、その後の缶容器の開口操作としては、従来から行なっているのと同様に、先ず、缶蓋のタブのリング部を少し持ち上げることで、ベントスコアを破断させ、この状態からタブを更に引き起こすことで、タブの先端部を環状スコアに深く食い込ませて、環状スコアを初期破断させてから、更にタブを引き上げて、環状スコアを円周方向に連続して破断させることで、環状スコアで囲まれたパネル部を缶体から除去することにより、缶容器を完全に開口させて、内容物の粉粒体を取り出すこととなるが、そのような缶容器の開口時において、最初にベントスコアを破断させる際に、細孔により缶内のガス抜きを既に終わっていることから、ベントスコアの部分からガスと共に粉粒体が噴出するようなことはない。
【００３８】
以上、本発明のフルオープン簡易開口式缶容器の実施例について説明したが、本発明は、上記の実施例に示した具体的な構造にのみ限定されるものではなく、缶容器の全体構造については、胴部と底部が一体成形された有底円筒状のシームレス缶体に缶蓋を巻締め固着する２ピース缶に限らず、円筒状の缶胴に缶蓋と底蓋をそれぞれ巻締め固着する３ピース缶として実施することも可能であり、缶蓋については、パネル部の外縁に金属板を折り畳んだ重層部を形成したようなものに限らず、そのような重層部のない缶蓋であっても良い等、適宜に設計変更可能なものであることはいうまでもない。
【００３９】
また、缶容器の用途についても、焙煎して粉砕したコーレギュラーコーヒーの陽圧缶詰に限らず、その他の粉粒体を内容物とする陽圧缶詰にも使用可能なものである。なお、焙煎して粉砕した状態のレギュラーコーヒーに限らず、焙煎して粉砕しないコーヒー豆であっても、時間が経つに連れて炭酸ガスを発生させることとなり、また、缶詰の製造時に粉砕されていなくても、缶詰の流通過程で缶内のコーヒー豆が砕けたり、コーヒー豆の渋皮が粉になって、缶内に粉粒体が存在することがあるため、開缶時にそれら粉粒体が噴出して飛散する虞があるが、そのような焙煎して粉砕しないコーヒー豆の陽圧缶詰に対しても、本発明の缶容器は効果的に使用することができる。
【図面の簡単な説明】
【００４０】
【図１】本発明のフルオープン簡易開口式缶容器の一実施例について、缶容器の全体を示す縦断面図。
【図２】図１に示した缶容器の缶蓋の巻締め固着される前の状態を示す上面図。
【図３】図１に示した缶蓋のリベット部の付近を示す縦断面図。
【図４】図１に示した缶蓋のフィルム製蓋で覆われた細孔の付近を示す縦断面図。
【図５】図４に示したフィルム製蓋が引き剥がされて細孔が開封された状態を示す縦断面図。
【符号の説明】
【００４１】
１        缶容器（フルオープン簡易開口式缶容器）
２        缶蓋（フルオープンタイプの開口容易缶蓋）
３        缶体
４        薄板材
５        フィルム製蓋
５ａ      （フィルム製蓋の）把手
２１      （缶蓋の）パネル部
３０      （パネル部の）小孔
４０      （薄板材の）細孔
【図１】
0004947790.tif 000002
【図２】
0004947790.tif 000003
【図３】
0004947790.tif 000004
【図４】
0004947790.tif 000005
【図５】
0004947790.tif 000006